(57)【特許請求の範囲】
【請求項１】
加入者端末機にサービスを提供するサービング基地局と前記サービング基地局に隣接する複数の周辺基地局とを含む広帯域無線接続通信システムにおいて、前記サービング基地局の要求に応じて前記加入者端末機がハンドオーバーを遂行する方法であって、
前記サービング基地局から前記複数の周辺基地局に関する情報を受信するステップと、
前記周辺基地局に関する情報に基づいて、前記周辺基地局から周波数帯域信号のキャリア対干渉雑音比（ＣＩＮＲ）を測定するステップと、
前記サービング基地局からハンドオーバー測定要求メッセージを受信するステップと、
前記ハンドオーバー測定要求メッセージに応じて、所定のハンドオーバー条件を満足する周辺基地局に関する情報のみを含む、選択された周辺基地局の前記測定されたキャリア対干渉雑音比に関する情報を含むハンドオーバー要求メッセージを前記サービング基地局へ送信するステップと、
前記サービング基地局から、前記周辺基地局のうち前記加入者端末機のハンドオーバーを支援することができ、前記選択された周辺基地局のうち少なくとも１つのターゲット周辺基地局に関する情報を含む、ハンドオーバー応答メッセージを受信するステップと、
前記サービング基地局から前記少なくとも１つのターゲット周辺基地局へのハンドオーバーを遂行するステップと
を含み、
前記所定のハンドオーバー条件は、特定の周辺基地局のキャリア対干渉雑音比が最小キャリア対干渉雑音比よりも小さい状態を、最大維持時間の間、保持されてはいけない第１のハンドオーバー条件と、特定の周辺基地局のキャリア対干渉雑音比が前記サービング基地局から測定されたキャリア対干渉雑音比よりも大きい状態を、最小維持時間の間、保持されなければならない第２のハンドオーバー条件とからなる、
ことを特徴とする方法。
【請求項２】
前記複数の周辺基地局に関する情報は、前記サービング基地局から受信されたＤＬ＿ＭＡＰメッセージに含まれることを特徴とする請求項１記載の方法。
【請求項３】
前記周辺基地局から測定されたキャリア対干渉雑音比のうち、前記第２のハンドオーバー条件を満足するキャリア対干渉雑音比が存在する場合に、前記加入者端末機が前記第１のハンドオーバー条件を満足するキャリア対干渉雑音比に対応する周辺基地局にハンドオーバーを要求することを特徴とする請求項１記載の方法。
【請求項４】
前記周辺基地局から測定されたキャリア対干渉雑音比のうち、前記第１のハンドオーバー条件を満足しないキャリア対干渉雑音比に対応する周辺基地局のキャリア対干渉雑音比測定を停止するステップをさらに構成することを特徴とする請求項３記載の方法。
【請求項５】
前記ハンドオーバー要求メッセージは、前記周辺基地局のキャリア対干渉雑音比（ＣＩＮＲ）、サービス品質（ＱｏＳ）、及び帯域幅とともに、前記サービング基地局へ送信されることを特徴とする請求項１記載の方法。
【請求項６】
前記周辺基地局のうち、前記ハンドオーバーを要求した周辺基地局を除いた残りの周辺基地局のキャリア対干渉雑音比を‘０’に設定することを特徴とする請求項５記載の方法。
【請求項７】
加入者端末機にサービスを提供するサービング基地局と前記サービング基地局に隣接する複数の周辺基地局とを含む広帯域無線接続通信システムにおいて、前記サービング基地局がハンドオーバーを遂行する方法であって、
前記加入者端末機に前記周辺基地局に関する情報を送信するステップと、
前記加入者端末機に対するハンドオーバーが要求されると、前記加入者端末機にハンドオーバー要求のためのハンドオーバー測定要求メッセージを送信するステップと、
前記ハンドオーバー測定要求メッセージに応じて、前記加入者端末機から、所定のハンドオーバー条件を満足する周辺基地局に関する情報のみを含む、前記選択された周辺基地局のキャリア対干渉雑音比（ＣＩＮＲ）を含むハンドオーバー要求メッセージを受信するステップと、
前記周辺基地局を前記受信されたキャリア対干渉雑音比の大きさの順序で整列するステップと、
前記整列された順序にハンドオーバー接続要求を前記周辺基地局へ順次に送信するステップと、
前記ハンドオーバー接続要求に応じて、前記選択された周辺基地局のうち、前記加入者端末機のハンドオーバーを支援することができる少なくとも１つのターゲット周辺基地局からＡＣＫ情報を含むハンドオーバー接続応答を受信すると、前記少なくとも１つのターゲット周辺基地局に関する情報を前記加入者端末機へ送信するステップと
を含み、
前記ハンドオーバー接続要求を前記周辺基地局へ送信するステップは、前記ＡＣＫ情報を含むハンドオーバー接続応答が受信されるまで、前記整列されたキャリア対干渉雑音比（ＣＩＮＲ）のうちの一番大きいキャリア対干渉雑音比に対応する周辺基地局から、一番小さいキャリア対干渉雑音比（ＣＩＮＲ）に対応する周辺基地局の順序にて遂行され、
前記所定のハンドオーバー条件は、特定の周辺基地局のキャリア対干渉雑音比が最小キャリア対干渉雑音比よりも小さい状態を、最大維持時間の間、保持されてはいけない第１のハンドオーバー条件と、特定の周辺基地局のキャリア対干渉雑音比が前記サービング基地局から測定されたキャリア対干渉雑音比よりも大きい状態を、最小維持時間の間、保持されなければならない第２のハンドオーバー条件とからなる、
ことを特徴とする方法。
【請求項８】
前記周辺基地局に対する測定されたキャリア対干渉雑音比（ＣＩＮＲ）、サービス品質（ＱｏＳ）、及び帯域幅とともに、前記加入者端末機から前記ハンドオーバー要求を受信するステップをさらに構成することを特徴とする請求項７記載の方法。
【請求項９】
前記ハンドオーバー接続要求は、前記加入者端末機によって、前記サービス品質及び前記帯域幅を含む前記周辺基地局へ送信されることを特徴とする請求項８記載の方法。
【請求項１０】
前記少なくとも１つのターゲット周辺基地局に関する情報は、前記少なくも１つのターゲット周辺基地局の識別子及びキャリア周波数を含むことを特徴とする請求項７記載の方法。
【請求項１１】
前記少なくも１つのターゲット周辺基地局から前記ＡＣＫ情報を含むハンドオーバー接続応答メッセージを受信すると、前記少なくも１つのターゲット周辺基地局にハンドオーバー接続確認メッセージを送信するステップをさらに構成することを特徴とする請求項７記載の方法。
【請求項１２】
前記少なくも１つのターゲット周辺基地局に関する情報を送信した後に、前記加入者端末機に接続されたリンクを解除するステップをさらに構成することを特徴とする請求項７記載の方法。
【請求項１３】
広帯域無線接続通信システムであって、
ハンドオーバー測定要求メッセージに応じて、所定のハンドオーバー条件を満足する周辺基地局に関する情報のみを含む、キャリア対干渉雑音比（ＣＩＮＲ）を有する、選択された周辺基地局のうちの少なくとも１つの周辺基地局へハンドオーバー要求を送信し、前記ハンドオーバー要求に応じて、ハンドオーバー応答を送信する前記少なくとも１つの周辺基地局のターゲット周辺基地局にハンドオーバーを遂行する加入者端末機と、
前記加入者端末機と現在通信を遂行し、前記加入者端末機のハンドオーバーが要求されると、前記ハンドオーバー測定要求メッセージを前記加入者端末機に送信した後に、前記加入者端末機から報告されたキャリア対干渉雑音比（ＣＩＮＲ）の大きさの順序で前記選択された周辺基地局へハンドオーバー接続要求を送信し、許容（ＡＣＫ）情報を含むハンドオーバー接続応答を受信すると、前記ハンドオーバー情報を前記加入者端末機へ送信するサービング基地局とを含み、
前記ターゲット周辺基地局は、前記ハンドオーバー接続要求に応じて、前記少なくとも１つの周辺基地局から前記加入者端末機のハンドオーバーを支援することができるか否かを判断し、前記加入者端末機のハンドオーバーを支援することができると、前記許容情報を含むハンドオーバー接続応答メッセージを前記サービング基地局へ送信し、
前記ハンドオーバー条件は、前記ターゲット周辺基地局のキャリア対干渉雑音比（ＣＩＮＲ）が最小キャリア対干渉雑音比（ＣＩＮＲ）よりも小さい状態が最大維持時間の間に保持されてはいけない第１のハンドオーバー条件と、前記ターゲット周辺基地局のキャリア対干渉雑音比（ＣＩＮＲ）が前記サービング基地局から測定されたキャリア対干渉雑音比よりも大きい状態が最小維持時間の間に保持されなければならない第２のハンドオーバー条件とからなる、
ことを特徴とする広帯域無線接続通信システム。
【請求項１４】
少なくとも１つの周辺基地局から測定されたキャリア対干渉雑音比のうち、前記第２のハンドオーバー条件を満足するキャリア対干渉雑音比が存在する場合に、前記加入者端末機が前記第１のハンドオーバー条件を満足するキャリア対干渉雑音比に対応する周辺基地局にハンドオーバーを要求することを特徴とする請求項１３記載のシステム。
【請求項１５】
前記選択された周辺基地局から測定されたキャリア対干渉雑音比のうち、前記第１のハンドオーバー条件を満足しないキャリア対干渉雑音比に対応する周辺基地局に対しては、これ以上キャリア対干渉雑音比を測定しないことを特徴とする請求項１４記載のシステム。
【請求項１６】
前記加入者端末機は、前記測定された周辺基地局のＣＩＮＲのうちの少なくとも１つのＣＩＮＲが所定のしきい値と前記サービング基地局のＣＩＮＲよりも大きい値を有する場合に、前記サービング基地局にハンドオーバー要求を送信することを特徴とする請求項１５記載のシステム。
【発明の詳細な説明】
【技術分野】
【０００１】
本発明は、広帯域無線接続通信システムに関し、特に、直交周波数分割多重方式を使用する広帯域無線接続通信システムにおいて、基地局の要求に応じてハンドオーバーを決定するシステム及び方法に関する。
【背景技術】
【０００２】
次世代通信システムのうちの１つである第４世代（4th Generation；以下、“４Ｇ”と称する）通信システムにおいては、約１００Ｍｂｐｓの送信速度で多様なサービス品質（Quality of Service；以下、“ＱｏＳ”と称する）を有するサービスを複数の使用者に提供するための活発な研究が進められている。現在、第３世代（3rd Generation；以下、“３G”と称する）通信システムにおいて、一般に、比較的品質が悪いチャンネル環境を有する室外チャンネル環境では、約３８４Ｋｂｐｓの送信速度を支援し、比較的品質が良好なチャンネル環境を有する室内チャンネル環境でも、最大２Ｍｂｐｓ程度の送信速度を支援する。一方、無線近距離通信ネットワーク（Local Area Network；以下、“ＬＡＮ”と称する）システム及び無線都市地域ネットワーク（Metropolitan Area Network；以下、“ＭＡＮ”と称する）システムは、一般に、２０Ｍｂｐｓ〜５０Ｍｂｐｓの送信速度を支援する。そして、現在、４Ｇ通信システムは、比較的高い送信速度を保証する無線ＬＡＮシステム及び無線ＭＡＮシステムに移動性及びＱｏＳを保証する形態の新たな通信システムを開発して、上記４Ｇ通信システムから提供される高速サービスを支援しようとする研究が活発に進められている。
【０００３】
しかしながら、上記無線ＭＡＮシステムは、そのサービス領域（coverage）が広く、高速の送信速度を支援するので、高速通信サービスの支援には適合するが、ユーザ、すなわち、加入者端末機（Subscriber Station；ＳＳ）の移動性をまったく考慮しないシステムであるので、加入者端末機の高速移動によるハンドオーバー（handover）もまったく考慮されていない。また、ＩＥＥＥ（Institute of Electrical and Electronics Engineers）８０２．１６ａで考慮している通信システムは、加入者端末機と基地局（Base Station；ＳＳ）との間でレンジング（ranging）動作を遂行して通信を遂行するシステムである。図１を参照して、従来技術に従うＩＥＥＥ８０２．１６ａで考慮している通信システムの構成を説明する。
【０００４】
図１は、直交周波数分割多重方式（ＯＦＤＭ）／直交周波数分割多重接続方式（ＯＦＤＭＡ）を使用する広帯域無線接続通信システムの構成を概略的に示すブロック図である。特に、図１は、ＩＥＥＥ８０２．１６ａ／ＩＥＥＥ８０２．１６ｅ通信システムの構成を概略的に示す。
【０００５】
図１を説明するに先立って、上記無線ＭＡＮシステムは、広帯域無線接続（Broadband Wireless Access；ＢＷＡ）通信システムであって、上記無線ＬＡＮシステムに比べてそのサービス領域が広くてさらに高速の送信速度を支援する。上記無線ＭＡＮシステムの物理チャンネル（physical channel）に広帯域（broadband）送信ネットワークを提供するために、直交周波数分割多重（Orthogonal Frequency Division Multiplexing；以下、“ＯＦＤＭ”と称する）方式及び直交周波数分割多重接続（Orthogonal Frequency Division Multiple Access；以下、“ＯＦＤＭＡ”と称する）方式を適用するシステムがＩＥＥＥ８０２．１６ａ通信システムである。すなわち、ＩＥＥＥ８０２．１６ａ通信システムは、上記無線ＭＡＮシステムにＯＦＤＭ／ＯＦＤＭＡ方式を適用するので、複数のサブキャリア（sub−carrier）を使用して物理チャンネル信号を送信し、これによって、高速のデータ送信を可能にする。また、ＩＥＥＥ８０２．１６ｅ通信システムは、ＩＥＥＥ８０２．１６ａ通信システムに加入者端末機の移動性を考慮するシステムであって、現在ＩＥＥＥ８０２．１６ｅ通信システムについては、具体的に規定されていない。結果的に、ＩＥＥＥ８０２．１６ａ通信システム及びＩＥＥＥ８０２．１６ｅ通信システムのすべては、ＯＦＤＭ／ＯＦＤＭＡ方式を使用する広帯域無線接続通信システムであり、説明の便宜上、上記ＩＥＥＥ８０２．１６ａ通信システム及びＩＥＥＥ８０２．１６ｅ通信システムを例に挙げて説明する。
【０００６】
図１を参照すると、ＩＥＥＥ８０２．１６ａ／ＩＥＥＥ８０２．１６ｅ通信システムは、単一のセル（single cell）構成を有し、基地局１００及び基地局１００が管理する複数の加入者端末機１１０、１２０、及び１３０から構成される。基地局１００と加入者端末機１１０、１２０、及び１３０との間の信号の送受信は、上記ＯＦＤＭ／ＯＦＤＭＡ方式を使用して行われる。ここで、ＩＥＥＥ８０２．１６ａ／ＩＥＥＥ８０２．１６ｅ通信システムの下りリンク（downlink）フレーム（frame）の構成を図２を参照して説明する。
【０００７】
図２は、ＯＦＤＭ／ＯＦＤＭＡ方式を使用するＢＷＡ通信システムの下りリンクフレームの構成を概略的に示す図である。特に、図２は、ＩＥＥＥ８０２．１６ａ／ＩＥＥＥ８０２．１６ｅ通信システムで使用する下りリンクフレームの構成を説明する。
【０００８】
図２を参照すると、上記下りリンクフレームは、プリアンブル（preamble）領域２００、放送制御（broadcast control）領域２１０、複数の時間分割多重（Time Division Multiplexing；以下、“ＴＤＭ”と称する）領域２２０及び２３０を含む。基地局と加入者端末機との同期を獲得するための同期信号、すなわち、プリアンブルシーケンス（preamble sequence）は、プリアンブル領域２００を介して送信される。放送制御領域２１０は、ＤＬ（DownLink）＿ＭＡＰ領域２１１及びＵＬ（UpLink）＿ＭＡＰ領域２１３を含む。ＤＬ＿ＭＡＰ領域２１１は、ＤＬ＿ＭＡＰメッセージを送信する。ＤＬ＿ＭＡＰメッセージに含まれた複数の情報エレメント（Information Element；以下、“ＩＥ”と称する）を下記表１に示す。
【０００９】
【表１】
0004430016.tif 000002
【００１０】
表１に示すように、ＤＬ＿ＭＡＰメッセージは、複数のＩＥ、すなわち、送信メッセージタイプ情報を示すマネージメントメッセージタイプ（Management Message Type）領域と、同期を獲得するために物理チャンネルに適用された変調方式又は復調方式に応じて設定されたＰＨＹ（PHYsical）シンクロナイゼイション（Synchronization）領域と、下りリンクバーストプロファイル（burst profile）を含んでいる下りリンクチャンネルディスクリプト（Downlink Channel Descript；以下、“ＤＣＤ”と称する）メッセージの構成（configuration）変化に応じてカウント情報を示すＤＣＤカウント領域と、基地局識別子（Base Station IDentifier）を示す基地局識別子領域と、上記基地局識別子の次に存在するエレメントの個数(Number of DL_MAP Elements)を示すｎ領域とを含む。特に、表１に図示していないが、ＤＬ＿ＭＡＰメッセージは、下記で説明するそれぞれのレンジング過程に割り当てられたレンジングコードに関する情報を含む。
【００１１】
また、ＵＬ＿ＭＡＰ領域２１３は、ＵＬ＿ＭＡＰメッセージを送信する。ＵＬ＿ＭＡＰメッセージに含まれた複数のＩＥを下記表２に示す。
【００１２】
【表２】
0004430016.tif 000003
【００１３】
表２に示すように、上記ＵＬ＿ＭＡＰメッセージは、複数のＩＥ、すなわち、送信メッセージタイプ情報を示すマネージメントメッセージタイプ領域と、使用される上りリンクチャンネル識別子（Uplink Channel ID）を示す上りリンクチャンネル識別子領域と、上りリンクバーストプロファイルを含んでいる上りリンクチャンネルディスクリプト（Uplink Channel Descript；以下、“ＵＣＤ”と称する）メッセージの構成変化に応じてカウント情報を示すＵＣＤカウント領域と、上記ＵＣＤカウント領域の次に存在するエレメントの個数を示すNumber of ＵＬ＿ＭＡＰ Elements ｎ領域とを含む。ここで、上記上りリンクチャンネル識別子は、媒体接続制御（Media Access Control；以下、“ＭＡＣ”と称する）サブ階層（sublayer）にのみ割り当てられる。
【００１４】
ＵＩＵＣ（Uplink Interval Usage Code；以下、“ＵＩＵＣ”と称する。）領域は、上記オフセット領域に記録されたオフセットの用途を指定する情報が記録される。例えば、上記ＵＩＵＣ領域に２が記録されると、初期レンジング過程に使用されるスターティングオフセット（Starting offset）が上記オフセット領域に記録されることを意味する。また、上記ＵＩＵＣ領域に３が記録されると、帯域要求レンジング又は保持管理レンジング過程に使用されるスターティングオフセット（Starting offset）が上記オフセット領域に記録されることを意味する。上述したように、上記オフセット領域は、上記ＵＩＵＣ領域に記録された情報に従って、初期レンジング過程又は保持管理レンジング過程に使用されるスターティングオフセット値が記録される。また、上記ＵＩＵＣ領域から送信された物理チャンネル特性情報は、ＵＣＤに記録されている。
【００１５】
加入者端末機がレンジングの遂行に成功することができないと、次の試みでの成功の確率を高めるために任意のバックオフ値を設定し、上記バックオフ時間だけ遅延した後に、上記レンジング過程をさらに遂行する。このとき、上記バックオフ値を決定するために必要な情報も上記ＵＣＤメッセージに含まれている。上述したＵＣＤメッセージの構成については、表３を参照してさらに具体的に説明する。
【００１６】
【表３】
0004430016.tif 000004
【００１７】
表３に示すように、ＵＣＤメッセージは、複数のＩＥ、すなわち、送信メッセージタイプ情報を示すマネージメントメッセージタイプ領域と、使用される上りリンクチャンネル識別子を示す上りリンクチャンネル識別子領域と、基地局でカウントするコンフィギュレーションチェンジカウント（Configuration Change Count）領域と、上りリンク物理チャンネルのミニスロット（mini−slot）の大きさを示すミニスロットサイズ（Mini-slot Size）領域と、初期レンジング過程を用いたバックオフ開始点を示す、すなわち、初期レンジング過程を用いた初期バックオフウィンドー（Initial backoff window）の大きさを示すレンジングバックオフスタート（Ranging Backoff Start）領域と、上記初期レンジング過程を用いたバックオフ終了点を示す、すなわち、最終バックオフウィンドー（Final backoff window）の大きさを示すレンジングバックオフエンド（Ranging Backoff End）領域と、コンテンションデータアンドリクエスト（contention data and requests）を設定するためのバックオフ開始点を示す、すなわち、初期バックオフウィンドーの大きさを示すリクエストバックオフスタート領域と、コンテンションデータアンドリクエストを設定するためのバックオフの終了点を示す、すなわち、最終バックオフウィンドーの大きさを示すリクエストバックオフエンド（Request Backoff End）領域とを含む。ここで、上記バックオフ値とは、下記で説明するレンジングに失敗する場合に、次回のレンジングのために待機すべき一種の待機時間値を示す。加入者端末機が初期レンジング過程の実行に失敗する場合に、基地局は、次のレンジング過程のために待機すべき待機時間情報を示す上記バックオフ値を上記加入者端末機へ送信しなければならない。例えば、上記“レンジングバックオフスタート”と“レンジングバックオフエンド”による値が“１０”で決定されると、上記加入者端末機は、制限付き二進指数バックオフ（Truncated Binary Exponential Backoff）アルゴリズムに従って２１０回（１０２４回）のレンジングを遂行することができる機会をパスした後に、次回のレンジング過程を遂行しなければならない。
【００１８】
また、ＴＤＭ領域２２０及び２３０は、加入者端末機別にＴＤＭ／ＴＤＭＡ（Time Division Multiple Access；以下、“ＴＤＭＡ”と称する）方式を使用して割り当てられたタイムスロット（time slot）に該当する領域を示す。上記基地局は、あらかじめ設定されているセンターキャリア（center carrier）を用いて、上記基地局が管理している加入者端末機へ放送すべき放送情報をＤＬ＿ＭＡＰ領域２１１を介して送信する。上記加入者端末機は、パワーオン（power on）信号が受信されるに従って、上記加入者端末機のそれぞれにあらかじめ割り当てられているすべての周波数帯域をモニタリングして、一番強い大きさ、すなわち、一番強いパイロット（pilot）キャリア対干渉雑音比（Carrier to Interference and Noise Ratio；以下、“ＣＩＮＲ”と称する）を有するパイロットチャンネル信号を検出する。そして、上記一番強いパイロットＣＩＮＲを有するパイロットチャンネル信号を送信した特定の基地局を加入者端末機自身が現在属している基地局であると判断し、上記基地局から送信された下りリンクフレームのＤＬ＿ＭＡＰ領域２１１及びＵＬ＿ＭＡＰ領域２１３を確認して、自身の上りリンク及び下りリンクを制御する制御情報及び実際のデータの送受信位置を示す情報を認識する。
【００１９】
図３は、ＯＦＤＭ／ＯＦＤＭＡ方式を使用するＢＷＡ通信システムで使用する上りリンクフレームの構成を概略的に示す図である。特に、図３は、ＩＥＥＥ８０２．１６ａ／ＩＥＥＥ８０２．１６ｅ通信システムの上りリンクフレームの構成を説明する。
【００２０】
図３を説明するに先立って、ＩＥＥＥ８０２．１６ａ／ＩＥＥＥ８０２．１６ｅ通信システムで使用されるレンジング、すなわち、初期レンジング（Initial Ranging）過程、維持管理レンジング（Maintenance Ranging）過程、すなわち、周期的レンジング（Period Ranging）過程、及び帯域要求レンジング（Bandwidth Request Ranging）過程について説明する。
【００２１】
一番目に、初期レンジング過程について詳細に説明する。
【００２２】
上記初期レンジング過程は、基地局と加入者端末機との同期をとるための基地局要求の後に、上記加入者端末機と上記基地局との間の正確な時間オフセット（offset）を設定し、送信電力（transmit power）を調整することである。すなわち、上記加入者端末機がパワーオンされ、ＤＬ＿ＭＡＰメッセージ、ＵＬ＿ＭＡＰメッセージ、及びＵＣＤメッセージを受信して基地局との同期を獲得した後に、上記基地局とのタイムオフセット及び送信電力を調整するために、上記初期レンジング過程を遂行する。ここで、ＩＥＥＥ８０２．１６ａ通信システムは、ＯＦＤＭ／ＯＦＤＭＡ方式を使用するので、上記レンジング手順は、複数のレンジングサブチャンネル（sub−channel）及び複数のレンジングコード（ranging code）を必要とする。基地局は、レンジング過程の目的、すなわち、レンジング過程の種類情報に従って、使用可能なレンジングコードを割り当てる。このような動作について具体的に説明すると、下記の通りである。
【００２３】
上記レンジングコードは、まず、所定の長さ、例えば、２１５−１ビットの長さを有する擬似ランダム雑音（Pseudorandom Noise；以下、“ＰＮ”と称する）シーケンスを所定の単位に分割（segmentation）して生成される。一般に、１つのレンジングチャンネルは、５３ビットの長さをそれぞれ有する２つのレンジングサブチャンネルで構成され、１０６ビットの長さを有するレンジングチャンネルを介してＰＮコードを分割してレンジングコードを構成する。このように構成されたレンジングコードは、最大４８個（ＲＣ＃１〜ＲＣ＃４８）まで加入者端末機に割り当てられることができ、加入者端末機当たりの最小２つのレンジングコードが上記３つのレンジング過程、すなわち、初期レンジング過程、周期的レンジング過程、及び帯域要求レンジング過程にデフォルト（default）値として適用される。このように、上記３つのレンジング過程のそれぞれの目的に従って、上記加入者端末機に相互に異なるレンジングコードが割り当てられる。例えば、Ｎ個のレンジングコードが初期レンジング過程のために上記加入者端末機に割り当てられ（“N RC （Ranging Codes）for initial ranging”）、Ｍ個のレンジングコードが周期的レンジング過程のために上記加入者端末機に割り当てられ（“M RCs for maintenance ranging”）、Ｌ個のレンジングコードが帯域要求レンジング過程のために上記加入者端末機に割り当てられる（“L RCs for BW-request ranging”）。このように割り当てられたレンジングコードは、ＤＬ＿ＭＡＰメッセージを使用して加入者端末機に送信され、上記加入者端末機は、ＤＬ＿ＭＡＰメッセージに含まれているレンジングコードを使用して必要なレンジング手順を遂行する。
【００２４】
二番目に、周期的レンジング過程について詳細に説明する。
【００２５】
上記周期的レンジング過程は、上記初期レンジング過程で、加入者端末機と基地局との時間オフセット及び送信電力を調整した加入者端末機が上記基地局に関連したチャンネル状態を調整することができるように、周期的に遂行される。上記加入者端末機は、上記周期的レンジングのために割り当てられたレンジングコードを用いて上記周期的レンジング過程を遂行する。
【００２６】
三番目に、帯域要求レンジングについて詳細に説明する。
上記帯域要求レンジング過程は、上記初期レンジング過程で、加入者端末機と基地局との時間オフセット及び送信電力を調整した加入者端末機が上記基地局と実際に通信を遂行することができるように、帯域幅（bandwidth）割当てを要求する。上記帯域要求レンジングは、グラント方式と、Contention-based Focused bandwidth Requests for Wireless MAN-OFDM方式と、Contention-based CDMA bandwidth Requests for Wireless MAN-OFDMA方式の３種類の方式のうちのいずれか１つを選択して遂行することができる。ここで、上記３種類の方式のそれぞれについて詳細に説明する。
【００２７】
（１） グラント方式
【００２８】
上記グラント方式は、現在加入者端末機が属している通信システムが、単一のキャリア（single carrier）を使用する通信システムである場合に、帯域幅の割当てを要求する。このような方法において、加入者端末機は、加入者端末機自身の連結識別子（Connection ID；ＣＩＤ）ではないデフォルトＣＩＤを使用して、上記帯域要求レンジングを遂行する。上記帯域要求レンジングに失敗する場合に、上記加入者端末機は、基地局から受信された一番最近の情報及び上記基地局の要求状態に従ってあらかじめ設定されているバックオフ値の後に、上記帯域要求レンジングを再び試みるか、又は、受信されたサービスデータユニット（Service Data Unit；ＳＤＵ）の廃棄を決定する。ここで、上記加入者端末機は、ＵＣＤメッセージを介してすでに上記バックオフ値を感知している。
【００２９】
（２） Contention-based Focused bandwidth Requests for Wireless MAN-OFDM方式
【００３０】
上記Contention-based Focused bandwidth Requests for Wireless MAN-OFDM方式は、現在加入者端末機が属している通信システムがＯＦＤＭ方式を使用する通信システムである場合に、帯域幅の割当てを要求する。上記Contention-based Focused bandwidth Requests for Wireless MAN-OFDM方式は、さらに２種類の方式に分類される。一番目の方式は、上記グラント方式で説明したように、加入者端末機がデフォルトＣＩＤを使用すると同時に、Focused Contention Transmissionメッセージを送信することによって、帯域要求レンジングを遂行する。二番目の方式は、上記デフォルトＣＩＤではない放送ＣＩＤ（broadcast CID）をOFDM Focused Contention IDと共に送信して、帯域要求レンジングを遂行する。上記放送ＣＩＤをOFDM Focused Contention IDと共に送信して、帯域要求レンジングを遂行する場合に、基地局は、加入者端末機に対して特定の接続チャンネル（contention channel）及びデータレートを決定する。
【００３１】
（３） Contention-based CDMA bandwidth Requests for Wireless MAN-OFDMA方式
【００３２】
上記Contention-based CDMA bandwidth Requests for Wireless MAN-OFDMA方式は、現在加入者端末機が属している通信システムが、ＯＦＤＭＡ方式を使用する通信システムである場合に、帯域幅の割当てを要求する。上記Contention-based CDMA bandwidth Requests for Wireless MAN-OFDMA方式は、さらに２種類の方式に分類される。一番目の方式は、上記グラント方式で説明したように、帯域要求レンジングを遂行する。二番目の方式は、ＣＤＭＡ方式に基づくメカニズム（CDMA based mechanism）を使用して帯域要求レンジングを遂行する。ここで、上記ＣＤＭＡ方式に基づくメカニズムを使用する二番目の方式は、上記通信システムがＯＦＤＭシンボルから構成された複数のトーン（tone）、すなわち、複数のサブチャンネルを使用する。従って、加入者端末機が帯域要求レンジングを遂行する場合に、基地局は、上記複数のサブチャンネルのそれぞれにＣＤＭＡ方式のようなメカニズムを適用する。結果的に、上記基地局が上記帯域要求レンジングを成功的に受信すると、ＭＡＣプロトコルデータユニット（Protocol Data Unit；ＰＤＵ）を介して上記帯域要求レンジングを遂行した加入者端末機が周波数帯域を割り当てる。一方、ＲＥＱ（REQuest）Region-Focused方式を使用する場合に、複数の加入者端末機が同一のコンテンションコード（contention code）を使用して同一のサブチャンネルを介して帯域要求レンジングを試みると、衝突可能性が増加する。
【００３３】
図３を参照すると、上記下りリンクフレームは、初期レンジング過程及び維持管理レンジング、すなわち、周期的レンジング過程を使用するイニシャルメンテナンスオポチューニティ（Initial Maintenance Opportunities）領域３００と、帯域要求レンジング過程を使用するリクエストコンテンションオポチューニティ（Request Contention Opportunities）領域３１０と、複数の加入者端末機の上りリンクデータを含む加入者端末機のスケジュールドデータ（scheduled data）領域３２０とを含む。上記イニシャルメンテナンスオポチューニティ領域３００は、初期レンジング過程及び周期的レンジング過程をそれぞれ有する複数の接続バースト（access burst）区間と、上記複数の接続バースト区間の間に衝突（collision）が発生する衝突区間とを含む。上記リクエストコンテンションオポチューニティ領域３１０は、実際の帯域要求レンジング過程をそれぞれ有する複数の帯域要求区間と、上記複数の帯域要求区間の間において衝突が発生する衝突区間とを含む。そして、上記加入者端末機のスケジュールドデータ領域３２０は、複数のＳＳスケジュールドデータ領域（すなわち、ＳＳ １スケジュールドデータ領域〜ＳＳ Ｎスケジュールドデータ領域）を含む。複数のＳＳスケジュールドデータ領域（ＳＳ １スケジュールドデータ領域〜ＳＳ Ｎスケジュールドデータ領域）のそれぞれの間には、加入者端末機の遷移ギャップ（SS transition gap）が存在する。
【００３４】
図４は、図２及び図３に示したメッセージを介したＢＷＡ通信システムにおける通信手順を概略的に示す図である。図４を参照すると、まず、加入者端末機４００は、パワーオン（power on）されるに従って、加入者端末機４００にあらかじめ設定されているすべての周波数帯域をモニタリングして、一番強い大きさ、すなわち、一番強いパイロットＣＩＮＲを有するパイロットチャンネル（pilot channel）信号を検出する。そして、加入者端末機４００は、一番強いパイロットＣＩＮＲを有するパイロットチャンネル信号を送信した特定の基地局４２０を加入者端末機４００自身が現在属している基地局４２０であると判断し、基地局４２０からの下りリンクフレームプリアンブル（preamble）を受信して、基地局４２０とのシステム同期を獲得する。
【００３５】
上述したように、加入者端末機４００と基地局４２０との間でシステム同期が獲得されると、基地局４２０は、ステップ４１１及びステップ４１３で、加入者端末機４００にＤＬ＿ＭＡＰメッセージ及びＵＬ＿ＭＡＰメッセージを送信する。表１で説明したように、上記ＤＬ＿ＭＡＰメッセージは、下りリンクで加入者端末機４００が基地局４２０との同期を獲得するために必要な情報と、上記同期を介して下りリンクで複数の加入者端末機４００に送信されたメッセージを受信することができる物理チャンネルの構成に関する情報とを複数の加入者端末機４００へ送信する。また、上記ＵＬ＿ＭＡＰメッセージは、表２で説明したように、加入者端末機のスケジューリング（scheduling）周期に関する情報及び物理チャンネルの構成に関する情報などを加入者端末機４００へ送信する。
【００３６】
一方、上記ＤＬ＿ＭＡＰメッセージは、基地局からすべての加入者端末機に周期的に放送される。この場合に、加入者端末機４００が上記ＤＬ＿ＭＡＰメッセージを継続して受信することができる場合に、加入者端末機４００は、基地局と同期すると仮定する。すなわち、上記ＤＬ＿ＭＡＰメッセージを受信した加入者端末機は、下りリンクチャンネルを介して送信されるすべてのメッセージを受信することができる。
【００３７】
また、表３で説明したように、基地局は、加入者端末機がアクセスに失敗する場合に、使用することができるバックオフ値を知らせる情報を含んでいる上記ＵＣＤメッセージを上記加入者端末機へ送信する。
【００３８】
一方、上記レンジング過程を遂行する場合に、加入者端末機４００は、ステップ４１５で、基地局４２０にレンジング要求（Ranging Request；以下、‘ＲＮＧ＿ＲＥＱ’と称する）メッセージを送信し、上記ＲＮＧ＿ＲＥＱメッセージを受信した基地局４２０は、ステップ４１７で、加入者端末機４００に周波数、時間、及び送信パワーを調整するための情報を含むレンジング応答（Ranging Response；以下、‘ＲＮＧ_ＲＳＰ’と称する）メッセージを送信する。
【００３９】
上記ＲＮＧ＿ＲＥＱメッセージの構成は、下記表４の通りである。
【００４０】
【表４】
0004430016.tif 000005
【００４１】
表４において、下りリンクチャンネル（Downlink Channel）ＩＤフィールドは、上記加入者端末機が上記ＵＣＤを介して受信したレンジング要求（ＲＮＧ−ＲＥＱ）メッセージに含まれた下りリンクチャンネルＩＤを意味し、上記ペンディングアンティルコンプリート（Pending Until Complete）フィールドは、送信されるレンジング応答の優先順位の情報を示す。すなわち、上記ペンディングアンティルカンプリートフィールドが“０”であると、以前のレンジング応答が優先順位を有する。一方、上記ペンディングアンティルコンプリートフィールドが“０”ではないと、現在の送信レンジング応答が優先順位を有する。
【００４２】
また、表４に示すＲＮＧ＿ＲＥＱメッセージに対応した上記ＲＮＧ＿ＲＳＰメッセージの構成は、下記表５の通りである。
【００４３】
【表５】
0004430016.tif 000006
【００４４】
表５において、上りリンクチャンネルＩＤは、上記基地局が受信したＲＮＧ＿ＲＥＱメッセージに対する上りリンクチャンネルＩＤを示す。
【００４５】
一方、ＩＥＥＥ８０２．１６ａで提案したＯＦＤＭＡ通信システムは、上記レンジング過程をさらに効率的に遂行することができるように、レンジングのための専用区間を置いて、レンジングコードを送信する方式を使用して、上記ＲＮＧ＿ＲＥＱメッセージを置き換えることもできる。上記のようなＯＦＤＭＡ方式を使用するＢＷＡ通信システムの通信手順は、図５に示される。
【００４６】
図５を参照すると、基地局５２０は、ステップ５１１及びステップ５１３で、加入者端末機５００にＤＬ＿ＭＡＰメッセージ及びＵＬ＿ＭＡＰメッセージを送信し、具体的な事項は、図４と同一である。また、上述したように、上記ＯＦＤＭＡを使用する通信システムでは、ステップ５１５で、図４で使用されたＲＮＧ＿ＲＥＱメッセージの代わりにレンジングコードを送信し、上記レンジングコードを受信した基地局５２０は、ステップ５１７で、ＲＮＧ＿ＲＳＰメッセージを加入者端末機５００へ送信する。
【００４７】
一方、上記基地局に送信されたレンジングコードに対応する情報がＲＮＧ＿ＲＳＰメッセージに記録されることができるように、新たな情報が付加されなければならない。上記ＲＮＧ＿ＲＳＰメッセージに付加されなければならない新たな情報は、次の通りである。
【００４８】
１．レンジングコード：受信されたレンジングＣＤＭＡコード
２．レンジングシンボル：上記受信されたレンジングＣＤＭＡコードでのＯＦＤＭシンボル
３．レンジングサブチャンネル：上記受信されたレンジングＣＤＭＡコードでのレンジングサブチャンネル
４．レンジングフレーム番号：上記受信されたレンジングＣＤＭＡコードでのフレーム番号
【００４９】
上述したように、ＩＥＥＥ８０２．１６ａ通信システムは、現在加入者端末機が固定された状態、すなわち、加入者端末機の移動性をまったく考慮しない状態及び単一のセルの構成のみを考慮している。しかしながら、上述したように、ＩＥＥＥ８０２．１６ｅ通信システムは、ＩＥＥＥ８０２．１６ａ通信システムに加入者端末機の移動性を考慮したシステムであると規定し、従って、ＩＥＥＥ８０２．１６ｅ通信システムは、多重セル（multi cell）環境での加入者端末機の移動性を考慮しなければならない。このように、多重セル環境での加入者端末機の移動性を提供するためには、上記加入者端末機及び基地局の動作モードの変更が必須的に要求される。しかしながら、ＩＥＥＥ８０２．１６ｅ通信システムは、多重セル環境での加入者端末機の移動性について新たな方案を提案しない。従って、ＩＥＥＥ８０２．１６ｅ通信システムにおいて、上記加入者端末機の移動性を支援するために、アイドル状態だけではなく、通信サービスを遂行している状態を考慮したハンドオーバーシステムが要求されてきている。
【発明の開示】
【発明が解決しようとする課題】
【００５０】
上記背景に鑑みて、本発明の目的は、ＢＷＡ通信システムにおいて、加入者端末機の移動性を保証すると同時に、効率的なデータ通信を遂行するシステム及び方法を提供することにある。
【００５１】
本発明の他の目的は、ＢＷＡ通信システムにおいて、上記加入者端末機の移動性を保証するために、基地局間のハンドオーバーを遂行するシステム及び方法を提供することにある。
【００５２】
本発明のまた他の目的は、サービング基地局のハンドオーバー要求に応じて、加入者端末機からハンドオーバー関連情報を含むハンドオーバー要求メッセージを受信して、データ通信を遂行しているサービング基地局からハンドオーバーされるターゲット基地局を決定して、上記加入者端末機へ送信するシステム及び方法を提供することにある。
【課題を解決するための手段】
【００５３】
このような目的を達成するために、本発明の１つの特徴によれば、複数のサブキャリアで構成された全周波数帯域を分割した、少なくとも１つの周波数帯域を介してサービスを加入者端末機へ提供するサービング基地局と上記サービング基地局に隣接する複数の周辺基地局とを含む広帯域無線接続通信システムにおいて、上記サービング基地局の要求に応じて上記加入者端末機がハンドオーバーを遂行する方法は、上記サービング基地局から上記複数の周辺基地局に関する情報を受信するステップと、上記周辺基地局に関する情報に基づいて、上記周辺基地局から周波数帯域信号のキャリア対干渉雑音比（ＣＩＮＲ）を測定するステップと、上記サービング基地局からハンドオーバー測定要求メッセージを受信するステップと、上記ハンドオーバー測定要求メッセージに応じて、所定のハンドオーバー条件を満足する周辺基地局に関する情報のみを含む、選択された周辺基地局の上記測定されたキャリア対干渉雑音比に関する情報を含むハンドオーバー要求メッセージを上記サービング基地局へ送信するステップと、上記サービング基地局から、上記周辺基地局のうち、上記加入者端末機のハンドオーバーを支援することができ、上記選択された周辺基地局のうち少なくとも１つのターゲット周辺基地局に関する情報を含む、ハンドオーバー応答メッセージを受信するステップと、上記サービング基地局から上記少なくとも１つのターゲット周辺基地局へのハンドオーバーを遂行するステップとを含み、上記所定のハンドオーバー条件は、特定の周辺基地局のキャリア対干渉雑音比が最小キャリア対干渉雑音比よりも小さい状態を、最大維持時間の間、保持されてはいけない第１のハンドオーバー条件と、特定の周辺基地局のキャリア対干渉雑音比が上記サービング基地局から測定されたキャリア対干渉雑音比よりも大きい状態を、最小維持時間の間、保持されなければならない第２のハンドオーバー条件とからなる、ことを特徴とする。
【００５４】
本発明の他の特徴によれば、複数のサブキャリアで構成された全周波数帯域を分割した、少なくとも１つの周波数帯域を介してサービスを加入者端末機へ提供するサービング基地局と上記サービング基地局に隣接する複数の周辺基地局とを含む広帯域無線接続通信システムにおいて、上記サービング基地局がハンドオーバーを遂行する方法は、上記加入者端末機に上記周辺基地局に関する情報を送信するステップと、上記加入者端末機に対するハンドオーバーが要求されると、上記加入者端末機にハンドオーバー要求のためのハンドオーバー測定要求メッセージを送信するステップと、上記ハンドオーバー測定要求メッセージに応じて、上記加入者端末機から、所定のハンドオーバー条件を満足する上記選択された周辺基地局のキャリア対干渉雑音比（ＣＩＮＲ）を含むハンドオーバー要求メッセージを受信するステップと、上記周辺基地局を上記受信されたキャリア対干渉雑音比の大きさの順序で整列するステップと、上記整列された順序にハンドオーバー接続要求を上記周辺基地局へ順次に送信するステップと、上記ハンドオーバー接続要求に応じて、上記選択された周辺基地局のうち、上記加入者端末機のハンドオーバーを支援することができる少なくとも１つのターゲット周辺基地局からＡＣＫ情報を含むハンドオーバー接続応答を受信すると、上記少なくとも１つのターゲット周辺基地局に関する情報を上記加入者端末機へ送信するステップとを含み、上記ハンドオーバー接続要求を前記周辺基地局へ送信するステップは、上記ＡＣＫ情報を含むハンドオーバー接続応答が受信されるまで、上記整列されたキャリア対干渉雑音比（ＣＩＮＲ）のうちの一番大きいキャリア対干渉雑音比に対応する周辺基地局から、一番小さいキャリア対干渉雑音比（ＣＩＮＲ）に対応する周辺基地局の順序にて遂行される、ことを特徴とする。
【００５５】
本発明の他の特徴によれば、広帯域無線接続通信システムであって、ハンドオーバー測定要求メッセージに応じて、所定のハンドオーバー条件を満足するキャリア対干渉雑音比（ＣＩＮＲ）を有する、選択された周辺基地局のうちの少なくとも１つの周辺基地局へハンドオーバー要求を送信し、上記ハンドオーバー要求に応じて、ハンドオーバー応答を送信する上記少なくとも１つの周辺基地局のターゲット周辺基地局にハンドオーバーを遂行する加入者端末機と、上記加入者端末機と現在通信を遂行し、上記加入者端末機のハンドオーバーが要求されると、上記ハンドオーバー測定要求メッセージを上記加入者端末機に送信した後に、上記加入者端末機から報告されたキャリア対干渉雑音比（ＣＩＮＲ）の大きさの順序で上記選択された周辺基地局へハンドオーバー接続要求を送信し、許容（ＡＣＫ）情報を含むハンドオーバー接続応答を受信すると、上記ハンドオーバー情報を上記加入者端末機へ送信するサービング基地局とを含み、上記ターゲット周辺基地局は、上記ハンドオーバー接続要求に応じて、上記少なくとも１つの周辺基地局から上記加入者端末機のハンドオーバーを支援することができるか否かを判断し、上記加入者端末機のハンドオーバーを支援することができると、上記許容情報を含むハンドオーバー接続応答メッセージを上記サービング基地局へ送信し、上記ハンドオーバー条件は、上記ターゲット周辺基地局のキャリア対干渉雑音比（ＣＩＮＲ）が最小キャリア対干渉雑音比（ＣＩＮＲ）よりも小さい状態が最大維持時間の間に保持されてはいけない第１のハンドオーバー条件と、上記ターゲット周辺基地局のキャリア対干渉雑音比（ＣＩＮＲ）が上記サービング基地局から測定されたキャリア対干渉雑音比よりも大きい状態が最小維持時間の間に保持されなければならない第２のハンドオーバー条件とからなる、することを特徴とする。
【発明の効果】
【００５６】
本発明は、加入者端末機の移動性を支援するために、多重セルの構成を有するＢＷＡ通信システムにおいて、過負荷のセルに位置した加入者端末機の通話処理を分散させるために、サービング基地局は、加入者端末機に他の基地局へのハンドオーバーを遂行するように要求する。このような既存の単一のセルの構成では、他のセルへの通話処理を分散させることができず、その結果、過負荷のセルは、加入者端末機を収容することができなかった。しかしながら、本発明の実施形態において、セルに過負荷がかかる場合に、サービング基地局が加入者端末機に他の基地局へのハンドオーバーを遂行するように要求して端末機の通話処理を分散させ、これによって、さらに多い加入者端末機を収容することができる。
【発明を実施するための最良の形態】
【００５７】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００５８】
図６は、本発明の実施形態によるＯＦＤＭ／ＯＦＤＭＡ方式を使用するＢＷＡ通信システムの構成を概略的に示す図である。
【００５９】
図６を説明するに先立って、従来技術で説明したように、ＩＥＥＥ８０２．１６ｅ通信システムは、ＩＥＥＥ８０２．１６ａ通信システムに加入者端末機（Subscriber Station；ＳＳ）の移動性（mobility）を考慮した通信システムとして、現在具体的には提案されていない。しかしながら、ＩＥＥＥ８０２．１６ａ通信システムに加入者端末機の移動性を考慮すると、多重セル（multi-cell）の構成と、上記多重セル間の加入者端末機のハンドオーバー動作、すなわち、セル選択動作（cell selection operation）を考慮することができる。従って、本発明では、図６に示すようなＩＥＥＥ８０２．１６ｅ通信システムの構成を提案する。そして、上記ＩＥＥＥ８０２．１６ｅ通信システムは、直交周波数分割多重（Orthogonal Frequency Division Multiplexing；以下、“ＯＦＤＭ”と称する）方式及び直交周波数分割多重接続（Orthogonal Frequency Division Multiplexing Access；以下、“ＯＦＤＭＡ”と称する）方式を使用する広帯域無線接続（Broadband Wireless Access；ＢＷＡ）通信システムであり、説明の便宜上、上記ＩＥＥＥ８０２．１６ｅ通信システムを例に挙げて説明する。
【００６０】
図６を参照すると、ＩＥＥＥ８０２．１６ｅ通信システムは、多重セルの構成を含み、すなわち、セル６００及びセル６５０を有し、セル６００を管理する第１の基地局（Base Station；ＢＳ）６１０と、セル６５０を管理する第２の基地局６４０と、複数の加入者端末機６１１、６１３、６３０、６５１、６５３とから構成される。そして、基地局６１０及び６４０と加入者端末機６１１、６１３、６３０、６５１、６５３との間の信号送受信は、上記ＯＦＤＭ／ＯＦＤＭＡ方式を使用してなされる。しかしながら、加入者端末機６１１、６１３、６３０、６５１、６５３のうちの加入者端末機６３０は、セル６００とセル６５０との境界地域、すなわち、ハンドオーバー領域に位置する。従って、加入者端末機６３０の移動性を支援するためには、加入者端末機６３０に対するハンドオーバーを支援しなければならない。
【００６１】
ＢＷＡ通信システムにおいて、加入者端末機は、複数の基地局から送信されたパイロットチャンネル（Pilot Channel）を受信する。上記加入者端末機は、上記受信されたパイロットチャンネルのキャリア対干渉雑音比（Carrier to Interference and Noise Ratio；以下、ＣＩＮＲと称する。）を測定する。上記加入者端末機は、上記測定された複数のＣＩＮＲのうちの一番大きいＣＩＮＲを有する基地局を選択する。すなわち、パイロットチャンネルを送信する上記複数の基地局のうちの一番良好なチャンネル状態を有する基地局を選択することによって、上記加入者端末機は、自身が属している基地局を認識する。以下、上記加入者端末機に対して、一番良好なチャンネル状態を有する基地局を“有効基地局（Active Base Station）”又は“サービング基地局（Serving Base Station）”と称する。
【００６２】
上記有効基地局を選択した上記加入者端末機は、上記有効基地局から送信された下りリンクフレーム及び上りリンクフレームを受信する。上記有効基地局から送信された下りリンクフレーム及び上りリンクフレームの構成は、従来技術で説明したフレームの構成と類似している。下記表６は、表１に示されたＤＬ＿ＭＡＰメッセージの以外に、本発明のために追加されるメッセージを示す。
【００６３】
【表６】
0004430016.tif 000007
【００６４】
表６において、上記有効基地局は、上記周辺基地局（Neighbor BS）に関する情報とともに上記ＤＬ＿ＭＡＰメッセージを送信することを分かる。上記“周辺基地局”は、上記加入者端末機が上記有効基地局でハンドオーバーが可能な基地局を意味する。上記ＭＡＸ＿Ｔは、上記加入者端末機が上記周辺基地局から受信されたパイロットチャンネルを使用して測定されたＣＩＮＲが、上記加入者端末機が設定したしきい値よりも低く受信される最大時間を示す。上記ＭＡＸ＿Ｔを設定した理由は、上記加入者端末機が上記周辺基地局から受信されたパイロット信号のＣＩＮＲを測定して、上記設定された時間の間に、上記設定されたしきい値よりも低く受信される周辺基地局があるか否かを判断するためである。上記判断の結果として、上記設定されたしきい値よりも低いＣＩＮＲが受信される上記周辺基地局は、その周辺基地局が上記周辺基地局リストに含まれていたとしても、ＣＩＮＲの測定を中断する。これは、上記設定されたしきい値よりも低い上記周辺基地局のＣＩＮＲを測定する不必要な動作を排除するためである。しかしながら、上記ＣＩＮＲの測定が中断された上記周辺基地局は、ユーザの選択により上記周辺基地局リストに新たに含まれることができる。すなわち、上記加入者端末機により設定された時間が経過されると、上記設定されたしきい値よりも低いＣＩＮＲが受信された上記周辺基地局は、上記加入者端末機によりＣＩＮＲ測定が再遂行される。
【００６５】
上記ＭＩＮ＿Ｔは、上記加入者端末機が上記周辺基地局にハンドオーバー要求メッセージを送信する場合に、上記周辺基地局のＣＩＮＲが、上記有効基地局のＣＩＮＲよりも高く受信される最小時間を示す。上記ＭＩＮ＿Ｔを設定した理由は、上記加入者端末機が上記有効基地局のＣＩＮＲよりも大きいＣＩＮＲが受信される度に、上記基地局にハンドオーバー要求を送信するピンポン現象を防止するためである。また、上記ＭＡＸ＿Ｔ及びＭＩＮ＿Ｔは、基地局の状況及びチャンネルの状況に従って変更されることができる。
【００６６】
上記測定モード（Measurement mode）は、上記周辺基地局のパイロットＣＩＮＲを測定し、上記測定されたパイロットＣＩＮＲを周期的に又はイベント発生的に上記有効基地局に報告する方式を意味する。上記測定されたパイロットＣＩＮＲを周期的に報告する場合には、周期的に報告する時間である‘報告周期（report period）’値を設定する。上記測定されたパイロットＣＩＮＲをイベント発生的に報告する場合には、上記加入者端末機がハンドオーバーを要求する‘イベントａ’と上記有効基地局がハンドオーバーを要求する‘イベントｂ’とに分けられる。イベント発生的に報告するモードの時に、測定された上記周辺基地局のパイロットＣＩＮＲが上記有効基地局のＣＩＮＲよりも大きい場合には、上記加入者端末機は、ハンドオーバーを要求する。上記有効基地局がハンドオーバー測定要求メッセージを上記加入者端末機へ送信する場合には、上記有効基地局は、ハンドオーバーを要求する。
【００６７】
上記測定コマンド（Measurement command）は、上記加入者端末機が上記周辺基地局のパイロットＣＩＮＲを測定する方式に関する情報の設定、再設定、又は解除を新たに決定する情報を意味する。上記有効基地局は、フレームごとにＤＬ＿ＭＡＰメッセージを介して新たな測定方法を設定するか、再設定するか、又は解除するかを上記加入者端末機に指示することができる。
【００６８】
上記測定コンフィギュレーション（Measurement configuration）は、上記加入者端末機が上記周辺基地局のパイロットＣＩＮＲを測定する方式に関する情報を意味する。上記測定コンフィギュレーションは、上記加入者端末機が上記周辺基地局のパイロットＣＩＮＲを測定しなければならないフレームの開始時間及び測定する周期に関する情報を含んでいる。このような情報に基づいて、上記加入者端末機は、上記周辺基地局のパイロットＣＩＮＲを周期的に測定しなければならない。
【００６９】
上記ＤＬ＿ＭＡＰメッセージ及び上記ＵＬ＿ＭＡＰメッセージを受信した上記加入者端末機が上記有効基地局にレンジングを要求する過程と上記有効基地局が上記レンジングを要求した上記加入者端末機にレンジング応答メッセージを送信する過程とは、上記で説明した通りであるので、ここでは、その詳細な説明を省略する。上記レンジング応答メッセージを受信した上記加入者端末機は、上記有効基地局と無線接続通信を遂行する。
【００７０】
図７を参照して、上記有効基地局が上記加入者端末機にハンドオーバー測定要求メッセージを送信する場合に、上記加入者端末機と上記有効基地局との間の無線接続通信が遂行される間のハンドオーバー過程について説明する。図７は、本発明の第１の実施形態によるＯＦＤＭＡ方式を使用するＢＷＡ通信システムにおいて、上記有効基地局が上記加入者端末機にハンドオーバーを要求した後に、加入者端末機が測定されたパイロットＣＩＮＲを含むハンドオーバー測定要求メッセージを上記有効基地局へ送信して、上記有効基地局が上記ハンドオーバーを決定する手順を示す図である。
【００７１】
図７において、ＯＦＤＭ方式を使用するＢＷＡ通信システムは、加入者端末機７０１、サービング基地局７０２、並びにターゲット基地局７０３及び７０４から構成される。以下、加入者端末機７０１が上記周辺基地局のパイロット信号を測定するステップと、サービング基地局７０２が加入者端末機７０１にハンドオーバー測定を要求するステップと、加入者端末機７０１からのハンドオーバー要求に応じて、サービング基地局７０２からハンドオーバーを遂行するターゲット基地局を決定するステップと、上記ターゲット基地局と加入者端末機７０１とのレンジングを設定するステップとに区分されて説明される。まず、加入者端末機７０１で、上記周辺基地局からのパイロット信号を測定する過程について説明する。
【００７２】
加入者端末機７０１は、ステップ７１１及びステップ７１２で、サービング基地局７０２から受信されたＤＬ＿ＭＡＰメッセージ及びＵＬ＿ＭＡＰメッセージを受信する。上記ＤＬ＿ＭＡＰメッセージ及び上記ＵＬ＿ＭＡＰメッセージの詳細な構成は、表２及び表６を参照して説明した通りである。すなわち、上記ＤＬ＿ＭＡＰメッセージは、表６に示した情報とともに加入者端末機７０１へ送信される。加入者端末機７０１は、上記ＤＬ＿ＭＡＰメッセージを受信して、サービング基地局７０２から送信された周辺基地局リストを管理する。また、ステップ７３１で、加入者端末機７０１は、サービング基地局７０２から送信された周辺基地局リストを使用して上記周辺基地局から受信されたパイロット信号のＣＩＮＲを測定する。
【００７３】
加入者端末機７０１が上記周辺基地局から受信されたパイロット信号のＣＩＮＲを測定する過程は、加入者端末機７０１がサービング基地局７０２から送信されたデータの受信を中断することによってなされる。すなわち、加入者端末機７０１は、サービング基地局７０２から送信されたデータの受信を中断し、上記中断された時間の間に、上記周辺基地局から受信されたパイロット信号のＣＩＮＲを測定する。この場合に、上記周辺基地局リストに含まれているすべての周辺基地局から受信されたパイロット信号のＣＩＮＲを測定するものではなく、上述したＭＩＮ＿Ｔ値によって排除されない周辺基地局から受信されたパイロット信号のＣＩＮＲのみを測定することが望ましい。
【００７４】
サービング基地局７０２が加入者端末機７０１の呼処理を他の周辺基地局で処理することを要求する場合に、ステップ７２４で、サービング基地局７０２は、ハンドオーバー測定要求メッセージ（Handoff Scan Request Message）を加入者端末機７０１へ送信する。下記表７は、サービング基地局７０２から加入者端末機７０１へ送信されたハンドオーバー測定要求メッセージの構成を示す。
【００７５】
【表７】
0004430016.tif 000008
【００７６】
表７に示すように、サービング基地局７０２は、加入者端末機７０１にメジャーメントＩＥ（Measurement IE）及びアクティベーションタイム（Activation time）に関する情報を含むハンドオーバー測定要求メッセージを送信する。上記メジャーメントＩＥは、サービング基地局７０２が要求した測定方式及び報告方式に関する情報である。上記アクティベーションタイムは、サービング基地局７０２がハンドオーバーを遂行しようとする最大フレーム時間を示す情報である。サービング基地局７０２が加入者端末機７０１にハンドオーバー測定要求を送信する場合に、上記表６で定義されているように、‘イベントｂ’を設定する。
【００７７】
加入者端末機７０１は、ステップ７１３で、ハンドオーバー要求メッセージ（Handoff Request Message）をサービング基地局７０２へ送信する。下記表８は、加入者端末機７０１からサービング基地局７０２へ送信されたハンドオーバー要求メッセージの一例を示す。
【００７８】
【表８】
0004430016.tif 000009
【００７９】
表８に示すように、加入者端末機７０１は、周辺基地局リストに含まれている周辺基地局のキャリア周波数及び上記測定されたＣＩＮＲをサービング基地局７０２へ送信する。また、加入者端末機７０１は、データを送受信する上りリンクチャンネルの識別子を送信することによって、ハンドオーバー領域に位置した加入者端末機７０１のチャンネルをサービング基地局７０２へ通知する。また、加入者端末機７０１が望まれるサービス品質（quality of service；ＱｏＳ）及び望まれる帯域幅（Band Width；ＢＷ）を指定する。上記サービス品質は、非要求保証サービス（Unsolicited Grant Service；ＵＧＳ）、実時間ポーリングサービス（Real-Time Polling Service；ｒｔＰＳ）、非実時間ポーリングサービス（Non-Real-Time Polling Service；ｎｒｔＰＳ）、及びベストエフォートサービス（Best Effort Service；ＢＥ）に区分されることができる。
【００８０】
以下、加入者端末機７０１からのハンドオーバー要求に応じて、サービング基地局７０２がハンドオーバーを遂行するターゲット基地局を決定する過程について説明する。加入者端末機７０１からハンドオーバー要求メッセージを受信したサービング基地局７０２は、ステップ７３２で、上記ハンドオーバー要求メッセージに含まれている周辺基地局を整列する。上記周辺基地局を整列する方法は、幾つかの種類がある。本発明の実施形態において、上記周辺基地局は、ＣＩＮＲの大きさの順序で整列される。もちろん、上記周辺基地局は、他の方法にて整列されてもよい。また、上述したように、加入者端末機７０１によってＣＩＮＲの測定が中断された周辺基地局のＣＩＮＲは、‘０’の値を有する。サービング基地局７０２は、上記整列された周辺基地局に関する情報をリストに貯蔵することができる。
【００８１】
上記受信されたハンドオーバー要求メッセージに含まれたＣＩＮＲ情報に基づいて、上記周辺基地局を整列したサービング基地局７０２は、上記整列された順序にハンドオーバー接続要求メッセージ（Handoff Connection Request Message）を上記周辺基地局へ順次に送信する。ステップ７１４で、サービング基地局７０２は、一番大きいＣＩＮＲの値を有する第１のターゲット基地局７０３に上記ハンドオーバー接続要求メッセージを送信する。下記表９は、上記ハンドオーバー接続要求メッセージの一例を示す。
【００８２】
【表９】
0004430016.tif 000010
【００８３】
表９に示すように、上記ハンドオーバー接続要求メッセージは、加入者端末機７０１によって望まれるサービス品質及び帯域幅とともに送信される。従って、サービング基地局７０２は、ハンドオーバーのために選択された第１のターゲット基地局７０３が、加入者端末機７０１が要求したサービス品質及び帯域幅を満足させることができるか否かを判断しなければならない。このために、サービング基地局７０２は、上記ハンドオーバー接続要求メッセージを上記サービス品質及び帯域幅に関する情報とともに送信し、これに対する応答メッセージを受信することによって、第１のターゲット基地局７０３が、ハンドオーバーが可能なターゲット基地局であるか否かを判断する。
【００８４】
上記ハンドオーバー接続要求メッセージを受信した第１のターゲット基地局７０３は、上記ハンドオーバー接続要求メッセージに応じてハンドオーバー接続応答メッセージ（Handoff Connection Response Message）をサービング基地局７０２へ送信する。下記表１０は、上記ハンドオーバー接続応答メッセージの一例を示す。
【００８５】
【表１０】
0004430016.tif 000011
【００８６】
表１０に示すように、第１のターゲット基地局７０３は、受信されたハンドオーバー接続要求メッセージに含まれている加入者端末機７０１が要求したサービス品質及びサービス帯域幅を支援することができるか否かを判断する。上記判断の結果、第１のターゲット基地局７０３が、加入者端末機７０１が要求したサービス品質及びサービス帯域幅を支援することができる場合に、第１のターゲット基地局７０３は、ＡＣＫ（Acknowledgement）情報とともに上記ハンドオーバー接続応答メッセージを送信する。しかしながら、上記判断の結果、第１のターゲット基地局７０３が上記サービス品質及びサービス帯域幅を支援することができない場合に、ＮＡＣＫ（Negative Acknowledgement）情報を含む上記ハンドオーバー接続応答メッセージを送信する。例えば、ステップ７１５で、第１のターゲット基地局７０３は、サービング基地局７０２に上記ＮＡＣＫ情報とともに上記ハンドオーバー接続応答メッセージを送信する。すなわち、第１のターゲット基地局７０３は、加入者端末機７０１が要求したサービス品質及び帯域幅を支援することができない。
【００８７】
第１のターゲット基地局７０３からハンドオーバー接続応答メッセージを受信したサービング基地局７０２は、ステップ７１６で、二番目に大きいＣＩＮＲの値を有する第２のターゲット基地局７０４にハンドオーバー接続要求メッセージを送信する。ステップ７１６で送信されたハンドオーバー接続要求メッセージは、上記ターゲット基地局ＩＤのみを除外しては、ステップ７１４で送信されたハンドオーバー接続要求メッセージと同一である。上記ハンドオーバー接続要求メッセージを受信した第２のターゲット基地局７０４は、上記ハンドオーバー接続要求メッセージに対する応答メッセージを上記サービング基地局７０２へ送信する。すなわち、ステップ７１７で、第２のターゲット基地局７０４は、上記ハンドオーバー接続応答メッセージをサービング基地局７０２へ送信する。上述したように、第２のターゲット基地局７０４は、加入者端末機７０１が要求したサービス品質及び帯域幅を支援することができるか否かを決定した後に、上記決定された結果値を含むハンドオーバー接続応答メッセージを送信する。例えば、図７において、第２のターゲット基地局７０４は、加入者端末機７０１が要求したサービス品質及び帯域幅を支援することができる。
【００８８】
第２のターゲット基地局７０４からハンドオーバー接続応答メッセージを受信したサービング基地局７０２は、ステップ７１８で、加入者端末機７０１にハンドオーバー応答メッセージ（Handoff Response Message）を送信する。上記ハンドオーバー応答メッセージは、ハンドオーバーが決定されたターゲット基地局及び上記ターゲット基地局が使用している周波数帯域に関する情報を含む。下記表１１は、上記ハンドオーバー応答メッセージの一例を示す。
【００８９】
【表１１】
0004430016.tif 000012
【００９０】
ステップ７１８で、上記ハンドオーバー応答メッセージを送信したサービング基地局７０２は、ステップ７１９で、第２のターゲット基地局７０４にハンドオーバー接続確認メッセージ（Handoff Connection Confirmation Message）を送信する。下記表１２は、上記ハンドオーバー接続確認メッセージの一例を示す。
【００９１】
【表１２】
0004430016.tif 000013
【００９２】
第２のターゲット基地局７０４にハンドオーバー接続確認メッセージを送信したサービング基地局７０２は、ステップ７３４で、加入者端末機７０１に接続されている呼を解除する。
【００９３】
ステップ７２０及びステップ７２１で、第２のターゲット基地局７０４は、ＤＬ＿ＭＡＰメッセージ及びＵＬ＿ＭＡＰメッセージを加入者端末機７０１へ送信する。上記ＤＬ＿ＭＡＰメッセージ及びＵＬ＿ＭＡＰメッセージは、加入者端末機７０１の情報が更新された後に送信される。上記ＤＬ＿ＭＡＰメッセージ及びＵＬ＿ＭＡＰメッセージを受信した加入者端末機７０１は、ステップ７２２で、レンジング要求メッセージを第２のターゲット基地局７０４へ送信する。上記レンジング要求メッセージを受信した第２のターゲット基地局７０４は、ステップ７２３で、レンジング応答メッセージを加入者端末機７０１へ送信する。ステップ７２０からステップ７２３で遂行される詳細な過程は、図４に示したステップ４１１からステップ４１７で遂行される過程と同一である。
【００９４】
図８は、本発明の第２の実施形態によるＯＦＤＭＡ方式を使用するＢＷＡ通信システムにおいて、加入者端末機のハンドオーバー要求に応じて、サービング基地局で上記ハンドオーバーを決定する手順を示す図である。図８は、図７と同一の装置で構成されている。また、図８のステップ８１１からステップ８３４は、図７に示したステップ７１１からステップ７３４と同一の過程によって遂行される。また、図８のステップ８２０からステップ８２３は、図５のステップ５１１からステップ５１７と同一の過程によって遂行される。従って、図８の詳細な説明は、説明の便宜上、省略する。
【００９５】
図９は、本発明の実施形態による加入者端末機の構成を示すブロック図である。図９に示すように、加入者端末機は、整合フィルター９００、受信電力測定部９１０、受信電力比較部９２０、制御部９３０、及び送信部９４０から構成される。受信器（図示せず）で受信された同期検出用ＰＮコードは、整合フィルター（Matched Filter）９００を介して、同期したか否かに従って所定のエネルギー値を出力する。一方、整合フィルター９００の代わりに、相関器、又は相関検出器（correlator）を使用しても同一の効果を有する。整合フィルター９００は、受信された同期検出用ＰＮコードを上記受信器に貯蔵されている固有のＰＮコードと比較して、同一のコードに対しては、特定の値を出力する。すなわち、整合フィルター９００は、受信された信号を所定のウィンドーに順次に入力し、固有のＰＮコードの値と並列にビット演算を遂行して、上記ビット演算された値を合計する。従って、上記受信信号が上記受信器に貯蔵されている固有のＰＮコード値と一致すると、同期（autocorrelation）した状態を示すので、整合フィルター９００は、最大値を出力する。しかしながら、上記受信信号が上記固有のＰＮコード値と一致しなければ、同期しない状態を示すので、相対的に低い値を出力する。一般的に、上記出力値は、所定のしきい値と比較して同期したか否かを判断する。すなわち、整合フィルター９００の出力値に基づいて、同期したか否かを決定することができる。
【００９６】
受信電力測定部９１０は、整合フィルター９００によって周辺基地局から受信されたパイロットチャンネルと同期すると、上記受信されたパイロットチャンネルの受信電力を測定する。すなわち、受信電力測定部９１０は、上記受信されたパイロットチャンネルのＣＩＮＲを測定し、上記測定されたパイロットチャンネルに対するＣＩＮＲに関する情報を受信電力比較部９２０へ送信する。受信電力比較部９２０は、受信電力測定部９１０から提供された周辺基地局のＣＩＮＲを所定のしきい値と比較する。上記比較の結果、上記周辺基地局のＣＩＮＲのうちの１つ以上のＣＩＮＲが、上記しきい値よりも大きい場合に、受信電力比較部９２０は、上記しきい値よりも大きい周辺基地局のＣＩＮＲをサービング基地局のＣＩＮＲと比較して、上記周辺基地局のＣＩＮＲが上記サービング基地局のＣＩＮＲよりも大きいか否かを判断する。受信電力制御部９２０は、上記判断の結果を制御部９３０へ提供する。制御部９３０は、上記サービング基地局からハンドオーバー測定要求メッセージを受信する場合に、上記判断の結果を含むハンドオーバー要求メッセージをサービング基地局へ送信する制御動作を遂行する。
【００９７】
すなわち、上記サービング基地局からハンドオーバー測定要求メッセージを受信する上記受信器の制御部９３０は、ハンドオーバー要求メッセージを生成して送信部９４０へ送信する。送信部９４０は、制御部９３０の制御の下で、上記ハンドオーバー要求メッセージを上記サービング基地局へ送信する。
【００９８】
図１０は、本発明の実施形態による加入者端末機の動作を示すフローチャートである。ステップ１０００及びステップ１００２で、上記加入者端末機は、上記サービング基地局から受信されたＤＬ＿ＭＡＰメッセージ及びＵＬ＿ＭＡＰメッセージを読み出す。上記加入者端末機は、ステップ１００４で、上記ＤＬ＿ＭＡＰメッセージに含まれている周辺基地局リストを読み出す。上記周辺基地局リストは、上記サービング基地局から受信された周辺基地局に関する情報を含む。
【００９９】
上記加入者端末機は、ステップ１００６で、上記周辺基地局から送信されたパイロットチャンネルに対するＣＩＮＲを測定する。上記サービング基地局から提供された周辺基地局の固有番号は、ＢＳ＿１からＭＡＸ＿ＢＳ＿ＮＵＭである。まず、ステップ１００６で、上記加入者端末機は、上記周辺基地局ＢＳ＿１に対するＣＩＮＲを測定した後に、ステップ１００８に進行する。ステップ１００８で、上記加入者端末機は、ＣＩＮＲが測定された周辺基地局の数がＭＡＸ＿ＢＳ＿ＮＵＭよりも小さいか否かを判断する。上記判断の結果、上記ＣＩＮＲが測定された周辺基地局の数が上記ＭＡＸ＿ＢＳ＿ＮＵＭよりも大きいか又は同一である場合には、上記加入者端末機は、ステップ１０１０へ進行する。しかしながら、上記判断の結果、上記ＣＩＮＲが測定された周辺基地局の数が上記ＭＡＸ＿ＢＳ＿ＮＵＭよりも小さい場合には、ステップ１００６へ戻る。ステップ１００６で、上記加入者端末機は、上記周辺基地局の数を１ずつ増加させ、上記増加された数を有する周辺基地局のＣＩＮＲを測定する。
【０１００】
上記加入者端末機は、ステップ１０１０で、上記周辺基地局に対するＣＩＮＲを上記サービング（又は有効）基地局に対するＣＩＮＲと比較する。もちろん、上記周辺基地局のＣＩＮＲを上記サービング基地局のＣＩＮＲと比較する前に、まず、上記加入者端末機は、上記周辺基地局のＣＩＮＲをしきい値と比較する。上記比較の結果、上記周辺基地局のＣＩＮＲのうちの一番大きいＣＩＮＲが上記サービング基地局のＣＩＮＲよりも小さい場合には、上記加入者端末機は、ステップ１０２６で、上記サービング基地局から上記ハンドオーバー測定要求メッセージを受信するか否かを決定する。上記サービング基地局がハンドオーバーを要求すると、上記加入者端末機は、上記サービング基地局から上記ハンドオーバー測定要求メッセージを受信する。しかしながら、上記ハンドオーバー測定要求メッセージを受信しないと、上記加入者端末機は、ステップ１０００へ戻って、上記サービング基地局が送信するＤＬ＿ＭＡＰメッセージを受信する。しかしながら、上記比較の結果、上記周辺基地局のＣＩＮＲのうちの一番大きいＣＩＮＲが上記サービング基地局のＣＩＮＲよりも大きいか又は同一である場合には、上記加入者端末機は、ハンドオーバー要求を決定した後に、ステップ１０１２へ進行する。
【０１０１】
一方、本発明の実施形態に従って、上記加入者端末機は、ステップ１０１０で、上記周辺基地局のＣＩＮＲのうちの一番大きいＣＩＮＲが上記サービング基地局のＣＩＮＲよりも小さいと判断しても、上記サービング基地局の要求に応じたハンドオーバーが進行されることができる。
【０１０２】
上記加入者端末機がサービング基地局から上記ハンドオーバー測定要求メッセージを受信するとステップ１０１２で、上記サービング基地局にハンドオーバー要求メッセージを送信する。上記ハンドオーバー要求メッセージに対する詳細な構成については、表６に示す。
【０１０３】
上記ハンドオーバー要求メッセージを送信した上記加入者端末機は、ステップ１０１４で、ハンドオーバー応答メッセージを受信する。上記ハンドオーバー応答メッセージに対する詳細な構成については、表１１に示す。図１０において、上記ハンドオーバー応答メッセージは、上記加入者端末機が要求したハンドオーバーに対するＡＣＫ情報を含む。上記加入者端末機は、ステップ１０１６で、上記ハンドオーバー応答メッセージに含まれているターゲット基地局の識別子及び上記ターゲット基地局で使用されたキャリア周波数を読み出す。
【０１０４】
ステップ１０１８で、上記加入者端末機は、上記加入者端末機の周波数を上記ターゲット基地局の周波数に変更する。結果的に、上記加入者端末機は、上記サービング基地局とのデータの送受信を中断し、上記ターゲット基地局とのデータの送受信を遂行する。このために、上記加入者端末機は、ステップ１０２０及びステップ１０２２で、上記ターゲット基地局から送信されたＤＬ＿ＭＡＰメッセージ及びＵＬ＿ＭＡＰメッセージを読み出して、ステップ１０２４で、上記ターゲット基地局とのデータの送受信を遂行する。
【０１０５】
図１１は、本発明の実施形態によるサービング基地局の動作を示すフローチャートである。上記サービング基地局は、ステップ１１００及びステップ１１０２で、上記ＤＬ＿ＭＡＰメッセージ及びＵＬ＿ＭＡＰメッセージを上記加入者端末機へ送信する。一方、必要に応じて、上記サービング基地局が上記加入者端末機のハンドオーバーを望む場合に、ステップ１１２２で、ハンドオーバー測定要求メッセージを上記加入者端末機へ送信する。このとき、上記ハンドオーバー測定要求メッセージについては、表７を参照して説明した。
【０１０６】
上記サービング基地局から上記ハンドオーバー測定要求メッセージを受信した上記加入者端末機は、ハンドオーバー要求メッセージを上記サービング基地局へ送信する。その後に、ステップ１１０４で、上記サービング基地局は、上記加入者端末機からハンドオーバー要求メッセージを受信する。上記ハンドオーバー要求メッセージの構成については、表８を参照して説明した。
【０１０７】
その後に、ステップ１１０６で、上記サービング基地局は、上記ハンドオーバー要求メッセージに含まれている周辺基地局に対するＣＩＮＲを大きさの順序で整列する。図９を参照して説明したように、上記周辺基地局の固有番号は、ＢＳ＿１からＭＡＸ＿ＢＳ＿ＮＵＭを含む。上記周辺基地局に対する整列過程を終了すると、ステップ１１０８で、上記サービング基地局は、上記整列された周辺基地局のうちの一番大きいＣＩＮＲを有する周辺基地局（すなわち、ターゲット基地局）にハンドオーバー接続要求メッセージを送信する。上記ハンドオーバー接続要求メッセージの構成については、表９を参照して説明した。
【０１０８】
ステップ１１１０で、上記ハンドオーバー接続要求メッセージを送信した上記サービング基地局は、上記ハンドオーバー接続要求メッセージを送信した周辺基地局からハンドオーバー接続応答メッセージを受信する。上記ハンドオーバー接続応答メッセージの構造については、表１０を参照して説明した。
【０１０９】
このとき、ステップ１１１２で、上記ハンドオーバー接続応答メッセージを受信した上記サービング基地局は、上記ターゲット基地局がハンドオーバーを支援することができるか否かを判断する。上記判断の結果、上記ターゲット基地局がハンドオーバーを支援することができると、上記サービング基地局は、ステップ１１１６へ進行する。しかしながら、上記判断の結果、上記ターゲット基地局がハンドオーバーを支援することができないと、ステップ１１１４へ進行する。ステップ１１１４で、上記サービング基地局は、二番目に大きいＣＩＮＲを有する周辺基地局を選択した後に、上記選択された周辺基地局に上記ハンドオーバー接続要求メッセージを送信する。
【０１１０】
ステップ１１１６で、上記サービング基地局は、上記ハンドオーバーを支援することができるターゲット基地局にハンドオーバー接続確認メッセージを送信する。上記ハンドオーバー接続確認メッセージの構成については、表１２を参照して説明した。上記ハンドオーバー接続確認メッセージを送信した上記サービング基地局は、ステップ１１１８で、表１１を参照して説明したハンドオーバー応答メッセージを上記加入者端末機へ送信する。また、ステップ１１１６及びステップ１１１８の遂行順序は、ユーザの選択によって変更されることができる。ステップ１１１６及びステップ１１１８を遂行した上記サービング基地局は、ステップ１１２０で、上記加入者端末機に接続されたリンク（すなわち、呼）を解除する。
【０１１１】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１１２】
【図１】ＯＦＤＭ／ＯＦＤＭＡ方式を使用するＢＷＡ通信システムの構成を示すブロック図である。
【図２】ＯＦＤＭ／ＯＦＤＭＡ方式を使用するＢＷＡ通信システムで使用する下りリンクフレームの構成を概略的に示す図である。
【図３】ＯＦＤＭ／ＯＦＤＭＡ方式を使用するＢＷＡ通信システムで使用する上りリンクフレームの構成を概略的に示す図である。
【図４】ＯＦＤＭ方式を使用するＢＷＡ通信システムにおける加入者端末機と基地局との間のレンジング過程を示す図である。
【図５】ＯＦＤＭＡ方式を使用するＢＷＡ通信システムにおける加入者端末機と基地局との間のレンジング過程を示す図である。
【図６】本発明の実施形態によるＯＦＤＭ／ＯＦＤＭＡ方式を使用するＢＷＡ通信システムの構成を概略的に示す図である。
【図７】本発明の実施形態によるＯＦＤＭ方式を使用するＢＷＡ通信システムにおけるサービング基地局のハンドオーバー要求によってサービング基地局でハンドオーバーを決定する手順を示す図である。
【図８】本発明の実施形態によるＯＦＤＭＡ方式を使用するＢＷＡ通信システムにおけるサービング基地局のハンドオーバー要求によってサービング基地局でハンドオーバーを決定する手順を示す図である。
【図９】本発明の実施形態による加入者端末機の構成を示すブロック図である。
【図１０】本発明の実施形態によるサービング基地局からハンドオーバー測定要求に応じて加入者端末機のハンドオーバーを遂行する手順を示すフローチャートである。
【図１１】本発明の実施形態による加入者端末機のハンドオーバー要求を受信したサービング基地局がハンドオーバーを遂行する手順を示すフローチャートである。
【符号の説明】
【０１１３】
６１０  基地局
６１１  加入者端末機
６１３  加入者端末機
６３０  加入者端末機
６４０  基地局
６５１  加入者端末機
６５３  加入者端末機
７０１  加入者端末機
７０２  サービング基地局
７０３  ターゲット基地局
７０４  ターゲット基地局
【図１】
0004430016.tif 000014
【図２】
0004430016.tif 000015
【図３】
0004430016.tif 000016
【図４】
0004430016.tif 000017
【図５】
0004430016.tif 000018
【図６】
0004430016.tif 000019
【図７】
0004430016.tif 000020
【図８】
0004430016.tif 000021
【図９】
0004430016.tif 000022
【図１０】
0004430016.tif 000023
【図１１】
0004430016.tif 000024